(57)【要約】      （修正有）【課題】スピーカーシステムを最適な聴取が出来る角度に設置する為の、スピーカースタンド装置を提供する。【解決手段】円の中心をほぼ同じにする、半円状の凹状部材４と凸状部材１０の係合による回転手段を設け、ばねや滑り止め部材により回転接触部の摩擦力を上げ、滑ることなく、回転設定位置で固定することが出来るようにし、一方の半円状部材の上部はスピーカーシステム保持する部材に連結し、もう一方の半円状部材は台と連結するようにしたことを特徴とする。【選択図】図３
0003183144.tif 000002
【実用新案登録請求の範囲】
【請求項１】
円の中心をほぼ同じにする半円状の凹状部材と凸状部材の係合による、回転構造手段を設け、ばね及び滑り止め部材により回転接触部の摩擦力を上げる手段により、滑ることなく、回転設定位置で固定することが出来るようになし、一方の半円状部材の上部はスピーカーシステムを保持する部材に連結し、もう一方の半円状部材の下部は台と連結するようになした、スピーカーシステムの前後の角度調整可能なスピーカースタンド装置。
【請求項２】
回転構造に連結固定された台の下部に支柱を設け、更に支柱の下部に第２の台を設ける手段により、スピーカーシステムを高い位置に設置することが出来、聴取位置の高さにより近づけることができるように成したことを特徴とする請求項１のスピーカースタンド装置
【請求項３】
スピーカーユニットの入ったスピーカーボックスを回転構造の上部に連結する部材に固定する手段により、合体させることで、スピーカースタンド装置の付いた、スピーカーシステムとなり、スピーカーの前後の角度を調整することができ、便利に利用が出来るように成したことを特徴とする請求項１のスピーカースタンド装置
【請求項４】
回転構造の上部に連結する部材を横に長くし、スピーカーユニットの入ったスピーカーボックスを左右に固定し、中央にアンプを固定するする手段により、合体させることで、スピーカースタンド装置の付いた、スピーカーシステムとなりステレオも楽しめ、スピーカーの前後の角度調整もでき、便利に利用が出来るように成したことを特徴とする請求項１のスピーカースタンド装置
【考案の詳細な説明】
【技術分野】
【０００１】    本考案は、スピーカーシステムを最適な聴取が出来る角度に設置する為の、スピーカースタンド装置に関する。
【背景技術】
【０００２】    従来のスピーカースタンド装置は、スピーカーシステムを水平に置くか、固定の角度でスピーカーシステムの後方を下げ、前方を上げる方法のスピーカー台はあるが、最適な聴取が出来るようにスピーカーシステムの角度を前後に調整できるものではない。
【先行技術文献】
【特許文献１】  特開２０１０−２７３３１２
【０００３】    特許文献１にあるように、スピーカーシステムの後方を下げ、前方を上げる、固定の角度のものはあるが、角度を前後に調整出来るものではない。
【考案の概要】
【考案が解決しようとする課題】
【０００４】    小型スピーカーシステムの設置は一般的に聴取位置と比べると低い位置になるため、上向きに設置し、聴取位置の高さ方向に向けたいという要求がある。またマルチウエイスピーカーシステムに於いては、各スピーカーの位相を合わせたいという要求から各スピーカーの位相差を補正する分だけ、上向きに設置したいという要求がある。しかし従来のスピーカーシステムの台は、スピーカーシステムを水平に置くものが多く、なかには固定の角度でスピーカーシステムの後方を下げ、前方を上げる方法のスピーカー台のものもあるが、多種なスピーカーシステムによる位相差の違いや、厳密には聴取位置の違いにより位相差に違いが発生することにも対応することが出来ないものである。これらの問題を解決し、最適な聴取が出来るようにするためにスピーカーシステムの前後の角度を簡単に調整したいという課題がる。
【課題を解決するための手段】
【０００５】    この課題を達成する為、本考案装置は、円の中心をほぼ同じにする、半円状の凹状部材と凸状部材の係合による、回転手段を設け、ばね及び滑り止め部材により回転接触部の摩擦力を上げる手段により、滑ることなく、回転設定位置で固定することが出来るようになし、一方の半円状部材の上部はスピーカーシステム保持する部材に連結し、もう一方の半円状部材は台と連結するようになした、スピーカーシステムの前後の角度調整可能なスピーカースタンド装置。
【考案の効果】
【０００６】上記手段及び構成による本考案によれば、小型スピーカーシステムの聴取位置の方向に向けて上向きに設置したいという要求や、多種なマルチウエイスピーカーシステムや、聴取位置の変更にも位相を合わせたいという要求にたいして、従来は対応することが出来なかったが、スピーカーシステムの角度を簡単に調整可能としたことにより、各要求を満たし、最適な聴取が出来るようになる。
【図面の簡単な説明】
【０００７】
【図１】本考案の一実施例を示すスピーカースタンド装置の正面図
【図２】本考案の一実施例を示すスピーカースタンド装置の側面図
【図３】本考案の一実施例を示すスピーカースタンド装置にスピーカーシステムを置き最終点まで傾けた時の側面図
【図４】本考案の一実施例を示すスピーカースタンド装置の回転構造を示す斜視図
【図５】本考案の一実施例を示すスピーカースタンド装置の滑り止め部を示す側面分解図
【図６】本考案の一実施例を示すスピーカースタンド装置の上下逆の回転構造を示す側面分解図
【図７】本考案の一実施例を示すスピーカースタンド装置の回転構造を中心部に寄せた場合の正面図
【図８】本考案の一実施例を示すスピーカースタンド装置のスタンドの高さを高くした構造の正面図
【図９】本考案の一実施例を示すスピーカースタンド装置とスピーカーボックスを一体化した側面図
【図１０】本考案の一実施例を示すスピーカースタンド装置とスピーカーボックス２個を一体化した正面図
【考案を実施するための形態】
【実施例】
【０００８】    以下、本考案を具体化した実施例を図１から図１０を参照にして説明する。図１は、本考案の一実施例を示すスピーカースタンド装置の正面図、図２は側面図である。図３は本考案の一実施例を示すスピーカースタンド装置にスピーカーシステムを置き最終点まで傾けた時の側面図である。円の中心をほぼ同じにする、半円状の凸状部材である右側凸状半円状板１０と半円状の凹状部材である右側凹状半円状板４とが接触した状態で係合し、同じく左側凸状半円状板１１と左側凹状半円状板５とが接触した状態で係合し、力を加えれば回転可能な回転構造手段となし回転接触部の摩擦力ですべることなく、回転設定位置で固定する。一方の半円状部材の上部は次のようにスピーカーシステム１４を保持する部材に連結している。右側凸状半円状板１０と左側凸状半円状板１１は、板Ｃ３の両端の下側に固定されている。板Ｃ３の上側は板Ｂ２に固定されている。板Ａ１は、板Ｂ２の後部に固定されている。板Ａ１は、スピーカーシステム１４を板Ｂ２に乗せて後ろに回転させた時スピーカーシステム１４が後ろにずれ落ちるのを防ぐ部材である。前にも回転させるときは、板Ａ１は板Ｂ２の前部にも追加固定される。板Ｂ２はスピーカーシステム１４を乗せるための部材である。更に板Ｂ２の後部は、後ろに回転させたとき、右側凹状半円状板４及び左側凹状半円状板５の後部上面の矢印Ａ１２の部分に当ることで一定角度の回転とするための、回転位置の最終点とする役目を持つ。板Ｂ２の前部は、前に回転させたとき、右側凹状半円状板４及び左側凹状半円状板５の前部上面の矢印Ｂ１３の部分に当ることで回転位置の最終点とする役目を持つ。図２では、板Ｃ３が前に伸びているため、板Ｂ２の前部下面と右側凹状半円状板４及び左側凹状半円状板５の前部上面の間に入り、前には回転せず、水平位置にスピーカーシステム１４を保つ構造となっている。右側凸状半円状板１０と左側凸状半円状板１１は、完全な半円でなく円の一部をカットした形の半円状でも良い。高さは、前後に回転させる角度を決めることができる。高さを伸ばすことで、板Ｂ２の下面と右側凹状半円状板４及び左側凹状半円状板５の上面のすきまが増えると、回転角度を大きくすることが出来る。もう一方の半円状部材である右側凹状半円状板４と左側凹状半円状板５の下部は、台Ａ８の両端に連結固定される。上部は右側凸状半円状板１０と左側凸状半円状板１１に接触し係合する。台Ａ８はスピーカーシステム１４の重量が加わっても容易に倒れない底面積と重量を持つものとする。右側板６と左側板７は、右側凸状半円状板１０と右側凹状半円状板４及び左側凸状半円状板１１と左側凹状半円状板５の組み合わせが左右にずれて、はずれるのを防ぐ。板Ｃ３と台Ａ８の中心部のばね９は、右側凸状半円状板１０と右側凹状半円状板４及び左側凸状半円状板１１と左側凹状半円状板５の接触面の摩擦力を上げるためにお互いを引張るばねである。板Ａ１と板Ｂ２と板Ｃ３と右側凸状半円状板１０と左側凸状半円状板１１の各部材の夫々の材質は、木材、金属、プラスチック等限定するものではない。固定方法は、ねじ、接着、溶着等限定するものではない。また成型や切削加工等の方法による一体製作の方法でも良い。右側凹状半��状４と左側凹状半円状板５と右側板６と左側板７と台Ａ８の各部材の夫々の材質は、木材、金属、プラスチック等限定するものではない。固定方法は、ねじ、接着、溶着等限定ものではない。また成型や切削加工等の方法による一体製作の方法でも良い。図４は本考案の一実施例を示すスピーカースタンド装置の回転構造を示す斜視図である。矢印Ｃ１５の位置にて右側凸状半円状板１０と右側凹状半円状４とが接触し係合し、回転する構造となっている。又矢印Ｄ１６の位置にて左側凸状半円状板１１と左側凹状半円状５とが接触し係合し回転する構造となっている。図５は本考案の一実施例を示すスピーカースタンド装置の滑り止め部を示す側面分解図である。滑り止め部材１７は、表面に細かな、おうとつがあるゴムやポリウレタン等を使用し摩擦力を上げることが出来るノンスリップシート等の部材であるが材質を限定するものではない。右側凸状半円状板１０と左側凸状半円状板１１の下面の凸部に貼り、また右側凹状半円状４と左側凹状半円状５の上面の凹部に貼り、摩擦力を上げて、回転した位置を保持する。摩擦力は、ばね９の力で押し付けられることで更に上がる。スピーカーシステムの重量が重い程、重量での回転力を抑えるため、ばね９の力を上げる必要がある。図６は本考案の一実施例を示すスピーカースタンド装置の上下逆の回転構造を示す側面分解図である。右側凸状半円状板１０が下側になり、右側凹状半円状４が上側になった構造でも回転が同じように出来ることを示す。図７は本考案の一実施例を示すスピーカースタンド装置の回転構造を中心部に寄せた場合の正面図である。右側凹状半円状４と左側凹状半円状５、及び右側凸状半円状板１０と左側凸状半円状板１１を中心部に寄せることで小型化や、左右分離せず一体化することも出来て、超小型スピーカーシステムなどのときに、製造時のコスト面で有利になる。図８は本考案の一実施例を示すスピーカースタンド装置のスタンドの高さを高くした構造の正面図である。台Ａ８に取り付けられた回転構造を第２の台Ｂ１８との間に設けられた支柱１９にてスピーカーシステムを高い位置に設置することが出来、聴取位置の高さにより近くすることができる。聴取位置の高さは、一般に人が椅子等に座ったときの耳の部分の高さと考えられる。台Ａ８、支柱１９、台Ｂ１８の夫々の材質は、木材、金属、プラスチック等限定するものではない。また夫々の固定方法は、ねじ、接着、溶着等限定するものではない。また成型や切削加工等の方法による一体製作の方法でも良い。図９は本考案の一実施例を示すスピーカースタンド装置とスピーカーボックスを一体化した側面図である。スピーカーユニット２１の入ったスピーカーボックスＡ２０を板Ｃ３に固定し、合体させることで、スピーカースタンド装置の付いた、スピーカーシステムとなり便利に利用が出来るようになる。固定方法は、ねじ、接着、溶着等限定するものではない。また成型や切削加工等の方法による一体製作の方法でも良い。図１０は本考案の一実施例を示すスピーカースタンド装置とスピーカーボックス２個を一体化した正面図である。板Ｃ３の幅を広げることで、スピーカーボックスＢ２２とスピーカーボックスＣ２４とアンプユニット２３を固定し、合体させるこ��でスピーカースタンド装置の付いた、スピーカーアンプシステムとなりステレオが楽しめ、スピーカーの角度調整も出来、便利に利用が出来る。固定方法は、ねじ、接着、溶着等限定するものではない。また成型や切削加工等の方法による一体製作の方法でも良い。
【符号の説明】
【０００９】１  板Ａ
２  板Ｂ
３  板Ｃ
４  右側凹状半円状板
５  左側凹状半円状板
６  右側板
７  左側板
８  台Ａ
９  ばね
１０  右側凸状半円状板
１１  左側凸状半円状板
１２  矢印Ａ
１３  矢印Ｂ
１４  スピーカーシステム
１５  矢印Ｃ
１６  矢印Ｄ
１７  滑り止め部材
１８  台Ｂ
１９  支柱
２０  スピーカーボックスＡ
２１  スピーカーユニット
２２  スピーカーボックスＢ
２３  アンプユニット
２４  スピーカーボックスＣ
【図１】
0003183144.tif 000003
【図２】
0003183144.tif 000004
【図３】
0003183144.tif 000005
【図４】
0003183144.tif 000006
【図５】
0003183144.tif 000007
【図６】
0003183144.tif 000008
【図７】
0003183144.tif 000009
【図８】
0003183144.tif 000010
【図９】
0003183144.tif 000011
【図１０】
0003183144.tif 000012
【手続補正書】
【提出日】平成25年2月7日(2013.2.7)
【手続補正１】
【補正対象書類名】実用新案登録請求の範囲
【補正対象項目名】全文
【補正方法】変更
【補正の内容】
【実用新案登録請求の範囲】
【請求項１】
円の中心をほぼ同じにする半円状の凹状部材と凸状部材の係合による、回転構造手段を設け、一方を半円状の凹状部材に連結した部材に留め、もう一方を凸状部材に連結した部材に留めて、半円状の凹状部材と凸状部材をお互いに引っ張るように取り付けられたばねと半円状の凹状部材の凹部及び凸状部材の凸部に貼った、滑り止め部材により回転接触部の摩擦力を上げる手段により、滑ることなく、回転設定位置で固定することが出来るようになし、一方の半円状部材の上部はスピーカーシステムを保持する部材に連結し、もう一方の半円状部材の下部は台と連結するようになした、スピーカーシステムの前後の角度調整可能なスピーカースタンド装置。
【請求項２】
回転構造に連結固定された台の下部に支柱を設け、更に支柱の下部に第２の台を設ける手段により、スピーカーシステムを高い位置に設置することが出来、聴取位置の高さにより近づけることができるように成したことを特徴とする請求項１のスピーカースタンド装置
【請求項３】
スピーカーユニットの入ったスピーカーボックスを回転構造の上部に連結する部材に固定する手段により、合体させることで、スピーカースタンド装置の付いた、スピーカーシステムとなり、スピーカーの前後の角度を調整することができ、便利に利用が出来るように成したことを特徴とする請求項１のスピーカースタンド装置
【請求項４】
回転構造の上部に連結する部材を横に長くし、スピーカーユニットの入ったスピーカーボックスを左右に固定し、中央にアンプを固定するする手段により、合体させることで、スピーカースタンド装置の付いた、スピーカーシステムとなりステレオも楽しめ、スピーカーの前後の角度調整もでき、便利に利用が出来るように成したことを特徴とする請求項１のスピーカースタンド装置